(57)【要約】【課題】本体側に設けられる各機構のスペースを確保したまま遊技中に携帯品を載置可能とする遊技装置を提供する。【解決手段】遊技装置２は、表示手段や操作手段等が設けられる本体ユニット２０ではなく、遊技機受皿から排出される獲得媒体を受ける計数ユニット２１に載置スタンド４０を設けたことにより、本体ユニット２０の各機構のスペースを確保したまま携帯品を載置する載置スタンド４０を提供可能となる。【選択図】図２
2018082977.tif 000002
【特許請求の範囲】
【請求項１】
遊技機に対応して設けられ、遊技者が獲得した遊技価値である獲得価値を計数可能な遊技装置であって、
計数された前記獲得価値が対応付けられた記録媒体を発行する記録媒体発行手段、遊技者による操作を受付ける操作手段、及び遊技に関する情報を表示する表示手段を有し、前記遊技機間に設けられる本体ユニットと、
前記獲得価値が貯留される前記遊技機の遊技機受皿から排出される獲得価値を受ける計数受部、及び前記獲得価値を通過可能とする計数通路部を有し、当設計数通路部を介して前記計数受部にて受けた獲得価値を前記本体ユニットへと導出可能に前記本体ユニットに接続される計数ユニットと、により構成され、
当該計数ユニットに遊技者の携帯品を載置可能な載置部を設けたことを特徴とする遊技装置。
【請求項２】
前記載置部は、前記計数通路部に取付けられることで前記計数ユニットに設けられ、
前記計数通路部は、前記載置部が取付けられるか否かに関わらず、前記獲得価値を通過可能とすることを特徴とする請求項１記載の遊技装置。
【請求項３】
前記計数通路部は、混入した前記獲得価値以外の異物を排出させるための排除部を底面に有し、
前記載置部は、前記排除部に対応した係合部を有しており，当該係合部を前記排除部に係合させることで前記計数通路部に取付けられることを特徴とする請求項１又は２記載の遊技装置。
【請求項４】
前記載置部における係合部を有する側に、前記異物を排出させるための載置排除部を設けることを特徴とする請求項３記載の遊技装置。
【請求項５】
前記排除部は複数設けられ、
前記係合部は、前記載置部に対して突起して複数設けられ、前記載置部が取付けられる場合に、前記計数通路部の底面側から前記排除部へ係合し、
前記計数通路部の上面は、当該上面側から器具や指等を挿入して複数の前記排除部に係合した複数の前記係合部の少なくとも全てを取外せない程度に封鎖されることを特徴とする請求項３又は４記載の遊技装置。
【請求項６】
前記携帯品は携帯端末であり、
前記本体ユニットは、前記携帯端末に接続するためのケーブルの接続部が設けられ、
前記載置部に、前記接続部に接続されたケーブル用の凹部、及び窓部の少なくとも一方を設けたことを特徴とする請求項１から５の何れか一項に記載の遊技装置。
【発明の詳細な説明】
【技術分野】
【０００１】
本発明は遊技装置に関する。
【背景技術】
【０００２】
遊技者には遊技中に、所有する携帯電話等の携帯端末の充電や情報表示等の利用を可能とするため、或いは携帯電話やタバコ等をポケット等に入れておきたくない等のために、携帯する携帯端末やタバコ等の携帯品を載置したいというニーズがある。
このようなニーズに応えるため、例えば特許文献１では遊技装置の本体側に携帯端末を保持するスタンドを設け、スタンドにて保持した状態で携帯端末を利用することを提案している。
【先行技術文献】
【特許文献】
【０００３】
【特許文献１】特開２０１３−２３３３２８号公報
【発明の概要】
【発明が解決しようとする課題】
【０００４】
しかしながら、遊技装置の本体側には、遊技装置自体の表示部、遊技者の操作を受け入れる操作部、カード処理部等の各機構が密集しており、公知例のように本体側にスタンドを設けると、例えば表示部を設けることを諦める等、各機構のスペースを確保することが難しい。と言って、遊技機自体にスタンドを設けるのでは、遊技機を入替える度に遊技機自体にスタンドを設ける必要があり、コスト面等で、あまり現実的でない。
【０００５】
本発明は、上記した事情に鑑みてなされたものであり、その目的は、本体側に設けられる各機構のスペースを確保したまま遊技中に携帯品を載置可能とする遊技装置を提供することにある。
【課題を解決するための手段】
【０００６】
請求項１の遊技装置は、表示手段や操作手段等が設けられる本体ユニットではなく、遊技機受皿から排出される獲得媒体を受ける計数ユニットに載置部を設けたことにより、本体ユニットの各機構のスペースを確保したまま携帯品を載置する載置部を提供可能となる。
【図面の簡単な説明】
【０００７】
【図１】第１実施形態の遊技装置を含む遊技場全体の概略構成を示す図
【図２】（ａ）は、載置スタンドの取付前の状態における拡大斜視図、（ｂ）は、載置スタンドの取付後の状態における計数ユニット全体の斜視図
【図３】載置スタンドに携帯品を載置した状態で示す拡大斜視図
【図４】本体ユニットにおける携帯端末用のＵＳＢ端子近傍を拡大して表す正面図
【図５】（ａ）及び（ｂ）は、載置スタンドの背面図及び底面図、（ｃ）は、計数ユニットの底面図
【図６】計数通路部のスリットと載置スタンドの係合部を表す、図５（ｃ）のＡ−Ａ線に沿う拡大断面図
【図７】（ａ）及び（ｂ）は、第２実施形態について載置スタンドの取付前及び取付後の状態を示す計数ユニット全体の斜視図
【発明を実施するための形態】
【０００８】
以下、本発明の第１実施形態について図面を参照して説明する。
図１に示す遊技場内には多数の遊技機１が設置されており、各遊技機１に対応して遊技装置２が設置されている。遊技装置２は、各遊技機１，１間に当該遊技機１と左右に並ぶようにして配設されている。遊技機１及び遊技装置２は、中継装置３やＬＡＮ４を介して管理装置５と接続されている。
【０００９】
管理装置５は、遊技場内の例えば事務室等に設置されており、遊技場の管理者が操作するキーボード６、モニタ７、図示しないプリンタ等が接続されている。管理装置５は、遊技機側（遊技機１、遊技装置２等）から送信される遊技信号を受信することにより、遊技機１毎の遊技情報を管理すると共に、会員登録された会員毎の個人データ等、各種情報を管理する。図１では図示を省略したが、実際には例えば数百台の遊技機１が管理装置５の管理対象となっている。尚、図１において、遊技機１群の下側に位置する長板形状の板は、その遊技島の左右方向に延設されたカウンタ板８である。
【００１０】
遊技機１はパチンコ機であり、盤面１１に遊技媒体であるパチンコ玉を発射する発射装置を構成する操作ハンドル１２、上部受皿１３、下部受皿１４を有すると共に、盤面１１に、液晶表示部１５、普図入賞口１６、第１始動口１７、第２始動口１８、大入賞口１９等を有する。又、遊技機１は、上部受皿１３の上面に、貸出釦１３ａ、返却釦１３ｂを有する。
【００１１】
遊技機１は、以下に示すように動作する。
（１）第１始動口１７は入賞率が変動しない入賞口（所謂ヘソ入賞口）であり、第２始動口１８は入賞率が変動する入賞口（所謂電チュー）である。
【００１２】
（２）各始動口１７、１８への入賞（始動入賞）に応じて大当り抽選を行い、抽選結果を液晶表示部１５にて行う図柄変動にて報知し、その変動結果に応じて大当りとなる。
（３）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１３】
（４）大当り抽選の当選確率（大当り確率）は１／３００であり、大当りがその後確変状態（確変）となる大当り（確変大当り）となる割合である確変率は（通常状態、確変状態共に）６６．６％である。大当りが発生すると１５ラウンド（Ｒ）分だけ大入賞口１９を開放する。１Ｒの上限入賞数は１０玉、上限開放時間は３０秒であり、上限入賞数又は上限開放時間のいずれかが満たされた場合に１Ｒを終了する。
【００１４】
（５）確変中は大当り確率が１／３０に向上すると共に、第２始動口１８への入賞率が高くなる時短状態（時短）になる。尚、確変は次回大当りまで継続するので、大当り後に大当りでも確変でもない状態である通常遊技状態（通常状態）となる大当り（通常大当り）が発生するまで継続し、その後は所定数（例えば１００回）の図柄変動を行うまで時短状態となり、その後に通常状態となる。
【００１５】
（６）第２始動口１８は普図入賞口１６への入賞に応じて変動する普通図柄（普図）が当りとなった場合に入賞率の高い開放状態となる。この場合、普図１回の変動時間は通常状態では３０秒であり時短状態では３秒となる。又、開放時間は通常状態では０．３秒であり時短状態では５秒となる。即ち、時短状態では通常状態と比較して普図変動時間が短くなる一方、開放時間は長くなることで第２始動口１８の入賞率が高くなる。尚、上記した遊技機１の仕様は一例であり、遊技場内には様々なスペックの遊技機１が設置されている。
【００１６】
遊技機１や遊技装置２等の遊技機側からは、遊技者による玉の打込みや各始動口１７、１８への始動入賞等の遊技の進行に伴って、以下に示す遊技信号を出力する。
アウト信号＝消費玉を回収するアウトＢＯＸから送信される消費価値（アウト）を特定可能な信号（稼動信号）である。消費（使用、打込、回収）玉１０玉に対して１パルスが出力されるので、「アウト信号数×１０」をアウトとして特定する。尚、遊技機１から出力される信号でもよい。
【００１７】
セーフ信号＝遊技機１から出力される入賞付与価値（セーフ）を特定可能な信号である。払出１０玉に対して１パルスが出力されるので、「セーフ信号数×１０」をセーフとして特定する。尚、補給装置から出力される補給信号をセーフ信号としてもよい。
【００１８】
始動信号＝遊技機１から出力される始動入賞により変動（作動）する液晶表示部１５（役物）におけるスタート処理（図柄変動、役物作動、単位遊技）を特定可能な信号である。図柄変動確定時に出力されるので、当該始動信号の出力に応じて図柄変動を特定し、「始動信号×１」をスタート回数として特定する。尚、始動入賞を示す信号としてもよい。
【００１９】
大当り信号＝遊技機１から出力される大当り期間を特定可能な信号である。大当り中にレベル出力される状態信号であるので、大当り信号の受信中を大当り中として特定する。
特別状態信号＝遊技機１から出力される特別状態（甘中）を特定可能な信号である。第２始動口１８の入賞率が向上する特別状態中（時短中）にレベル出力される状態信号であるので、特別状態信号の受信中を特別状態中として特定する。尚、大当り確率が向上する確変中にレベル出力される状態信号（確変信号）であってもよい。また、大当り信号と特別状態信号のいずれも受信していない期間を通常状態として特定する。
【００２０】
遊技装置２は、遊技機１や遊技装置２の遊技状態を示す状態表示部２２、貨幣が投入される貨幣投入口２３、遊技者からの操作入力を受付けると共に遊技の進行に伴ってスタート回数（図柄変動数）や後述する計数玉数等の遊技に関する情報を表示するタッチパネル式の液晶表示部２４、持玉及び貯玉を払出すための払出釦２５、払出された玉が通過する払出ノズル２６、一般カード１０（図１のみ図示）が挿入されるカード挿入口２７を備える。
【００２１】
また、詳しくは後述するが、遊技装置２は、遊技機１の下部受皿１４の下方に位置して計数受部２８や計数通路部２９を備えると共に、遊技装置２の内部に計数部を搭載している。上記した入賞により払出された玉（遊技者が獲得した玉）は遊技機１の上部受皿１３にて受けられ、この上部受皿１３が満杯状態となって溢れた玉は下部受皿１４に一旦貯留される。下部受皿１４に貯留された玉は、遊技者の操作により当該遊技装置２の計数受部２８に導かれ、その計数通路部２９を経由して遊技装置２の計数部へ導かれる。こうして、遊技装置２は、遊技者の獲得した玉を計数部により計数可能な、所謂各台計数機能を有する。
【００２２】
遊技装置２は、貨幣投入口２３で貨幣を受け付ける（貨幣受付処理）と、液晶表示部２４に入金額が残高に加算して表示され、残高がある状態で遊技機１の貸出釦１３ａを押下（貸出操作、付与操作）すると払出単位（例えば５００円）分の貸出玉（対価付与価値）が遊技機１から払出され（対価付与処理）、その対価分が残高から引落とされる。尚、貨幣は複数回分の対価付与処理の対応分を受付可能である（例えば１万円まで）。
【００２３】
遊技装置２は、前記計数部を有していることから遊技者が獲得した遊技価値である玉（獲得価値）を受付可能で、受け付けた場合には持玉として管理し、その持玉を対価とした払出ノズル２６から払出す再プレイ処理（価値付与処理）も可能とし、再プレイした場合はその対価分（払い戻した玉と同数）を持玉より減算する。
【００２４】
残高や持玉が残存する状態で遊技機１の返却釦１３ｂを押下（発行操作を受付）すると残高や持玉を特定可能な一般カード１０を発行する。尚、一般カード１０（記録媒体としてのＩＣカード）を受け付けた場合は、その残高や持玉を引継ぐ。また、会員カード（会員用のＩＣカード）も受付可能であり、遊技者が遊技場へと預入れた貯玉に基づく再プレイ処理も可能とする。
【００２５】
遊技装置２は中継装置３とのシリアル通信により貨幣受付処理や対価付与処理、価値付与処理、残高、持玉、貸出数、払戻数、入金額や計数玉数や、貸出の対価となる売上額、及びＩＣカードの受付や発行処理等の各種情報を特定可能であるが、これらをパルス信号（例えば入金１０００円毎に１パルス、売上１００円毎に１パルス等）にて特定してもよい。
【００２６】
さて、遊技者の携帯端末やタバコといった携帯品について、遊技中に遊技装置２等で保持するスタンドがあれば便利である。この点、遊技装置２の本体には、上記したように計数された獲得価値が対応付けられた一般カード１０を発行する記録媒体発行手段としてのカード挿入口２７や周知のカードリーダライタ、遊技者による操作を受付ける操作手段としての釦２５や、貨幣投入口２３、タッチパネル、遊技に関する情報を表示する表示手段としての表示部２２，２４、ノズル２６等の各機構２２〜２７が配設されているため、係るスタンドを新たに設けるスペースを確保するのは困難である。
【００２７】
そこで、本実施形態では、遊技装置２における各機構２２〜２７の機能を損なうことがないよう、当該遊技装置２における本体側（本体ユニット２０側）から延設された計数通路部２９或いは計数受部２８寄りの位置に、遊技者の携帯品を載置可能な載置スタンド４０（載置部）を設ける構成としている。係る構成について、図２〜図６も参照しながら詳述する。尚、図１の紙面に直交する方向を前後方向（紙面手前側を前方）とし、図１の紙面における左右方向を、同図の遊技装置２の左右方向（紙面左側を左方）とする。つまり、遊技装置２を正面から見た場合を基準として方向を規定する。
【００２８】
遊技装置２は、全体として縦長で幅狭な直方体状をなす本体ユニット２０と、そのユニット２０下端部から右方へ延びる計数通路部２９及び計数受部２８を有する計数ユニット２１と、により構成されている。
【００２９】
先ず、本体ユニット２０は、図１に示すように、対応する遊技機１の左側部に配置されることにより、遊技機１，１間に挟まれるようにして設けられる。本体ユニット２０の下部には、図４の拡大図で示すように、カード挿入口２７が上下方向に延びるように形成されると共に、その挿入口２７から右方へ若干離間した下部寄りの位置に、ＵＳＢ（Universal Serial Bus）ポート３０が形成されている。ＵＳＢポート３０は、図２（ｂ）に示すような携帯端末Ｋに接続するためのケーブル３１の接続部であり、例えば、スマートフォン等に用いられるＵＳＢケーブル３１のコネクタが接続される。ＵＳＢポート３０は、係るコネクタが装着されることにより、ケーブル３１を介して例えば、遊技装置２の制御部と携帯端末Ｋとの間で遊技情報の通信を行ったり、本体ユニット２０からの電力を携帯端末Ｋに供給することが可能となる。また、本体ユニット２０の下部には、ＵＳＢポート３０の直ぐ下側の位置に、電力の供給中つまり携帯端末Ｋの二次電池の充電中であることを表示する表示部３０ａが設けられている。
【００３０】
更に、本体ユニット２０の下端部には、図２（ａ）や図５（ｃ）に示すように、計数ユニット２１の連結部２１ａが連結される被連結部２０ａが設けられている。詳しい図示は省略するが、本体ユニット２０の被連結部２０ａは、計数ユニット２１から流入する玉の通過させるように開口した連通口と、計数ユニット２１の連結部２１ａが嵌合する凹状の被嵌合部３３，３４（図５（ｃ）参照）とを有する。
【００３１】
これに対し、計数ユニット２１の連結部２１ａは、被連結部２０ａの連通口に合わさるように開口した連通口と、被連結部２０ａの被嵌合部３３，３４に嵌まり込むように後方へ張出す嵌合部３５，３６（図５（ｃ）参照）を有する。従って、本体ユニット２０の被連結部２０ａ（前面２０ｂ）に対し、計数ユニット２１の連結部２１ａを突き当てるようにして、嵌合部３５，３６を被嵌合部３３，３４に嵌合させることで、当該嵌合状態（連結状態）が保持される。また、計数ユニット２１と本体ユニット２０との連結状態で、その連結部分２１ａ，２０ａ夫々の前記連通口が相互に合わさり、計数通路部２９内部と本体ユニット２０内部（計数部）とを連通させる。
【００３２】
尚、本体ユニット２０の被連結部２０ａは、後述する図２（ａ）のキーロータ３２の係止片（図示略）により係脱可能に係止（ロック）される。図２（ａ）に二点鎖線で示す本体ユニット２０の前面２０ｂには、前記被連結部２０ａの他、その直ぐ上側に前記ＵＳＢポート３０、表示部３０ａ、カード挿入口２７等が配設されることとなる。
【００３３】
計数ユニット２１は、本体ユニット２０の被連結部２０ａから、遊技者の正面に位置する下部受皿１４側まで延びるように左右に並べて延設された計数通路部２９と計数受部２８とを有し、例えば何れも合成樹脂材料から形成されている。計数ユニット２１は、前記連結部分２１ａ，２０ａで本体ユニット２０に接続されることにより、計数通路部２９を介して、計数受部２８にて受けた玉を本体ユニット２０へと導出可能になる。計数受部２８は、遊技者が獲得した玉が貯留される遊技機１の遊技機受皿たる下部受皿１４から排出される当該玉を受け、計数通路部２９は、当該玉を通過可能とする構成にある。
【００３４】
このうち、計数受部２８は、図２（ｂ）に示すように上面側が開放され、比較的浅底な矩形箱型容器状をなしている。計数受皿たる計数受部２８は、前記カウンタ板８と下部受皿１４との間に収まる大きさに形成されており、底面２８ａの下側に設けられた吸盤３７（図５（ｃ）参照）により、カウンタ板８上面に固定されている。吸盤３７自体は周知のものであり、その中央の基部３７ａが、底面２８ａの右寄りの部位に接続され、吸着部３７ｂが、カウンタ板８上面に吸着可能に吸着する。計数受部２８には、その左壁２８ｄを貫通して計数通路部２９に連通させる連通口（図示略）が形成されている。
【００３５】
計数通路部２９は、計数受部２８と本体ユニット２０の被連結部２０ａとにわたって左右方向に延びる略角筒状をなし、その底面２９ａと側壁２９ｂ〜２９ｄと上面２９ｅとを一体的に有する。詳しくは後述するが、計数通路部２９の上面２９ｅは、側壁２９ｂ〜２９ｄに対して、所謂嵌め殺しにより嵌め込まれて計数通路部２９上面を封鎖している。尚、上面２９ｅは、側壁２９ｂ〜２９ｄと一体成形した一体成型品として封鎖しうることは勿論である。
【００３６】
また、上面２９ｅには、図２（ａ）に示す連結部２１ａ寄りの位置に、鍵穴３２ａを有するキーロータ３２が配設されている。キーロータ３２は、従業員の所持する鍵が鍵穴３２ａに差し込まれて回動することに伴い、当該キーロータ３２先端の係止片が被連結部２０ａから外れることで、ロック解除する。このロック解除後、計数ユニット２１は、従業員により被嵌合部３３，３４と嵌合部３５，３６との嵌合を外すようにして引き抜くことで、本体ユニット２０から取外す構成としている。
【００３７】
図２（ａ）に示すように、計数通路部２９は、右端部の連通口を次第に狭める窄み部２９ｆとされ、左端部は本体ユニット２０の連通口に連なる連結部２１ａとされている。計数通路部２９における前壁２９ｂと後壁２９ｃとの間の距離つまり前後方向の幅寸法は、載置スタンド４０が取付けられるか否かに関わらず、例えば玉を前後２列で通過可能とする大きさに設定されていて、計数受部２８の前後方向の幅寸法に比して小さい。また、計数通路部２９は、計数受部２８の後壁２８ｃ寄りの位置（後側寄り）で当該計数受部２８に接続されており、手前側に嵩張らないようにしている。これにより、載置スタンド４０は、計数通路部２９の前側のスペースを利用して、当該計数通路部２９に取付けられることで計数ユニット２１に設けるようにしている。尚、計数受部２８及び計数通路部２９における、各底面２８ａ，２９ａの表面Ｓは（図２（ｂ）参照）、本体ユニット２０の連通口にスムーズに玉が流れ込むよう、なだらかに傾斜している。
【００３８】
ここで、図５において、（ｃ）は計数ユニット２１の底面図を表し、（ａ）及び（ｂ）は、載置スタンド４０の背面図及び底面図を表している。図５（ｃ）に示すように、計数ユニット２１の計数通路部２９は、混入した玉以外の異物を排出させるための複数の排除部３９を底面２９ａに有する。複数の排除部３９は例えば、底面２９ａを板厚方向に貫通し且つ計数通路部２９における玉の通過方向に延びる複数のスリット３９ａ〜３９ｄで構成されている。スリット３９ａ〜３９ｄは、上記した２列で通過する玉の流れの妨げとならないよう、前記通過方向に延びる細長な形状をなしている。また、スリット３９ａ〜３９ｄは、幅方向へ４列、通過方向へ３列に並べて形成されることにより、底面２９ａは格子状をなしている。尚、スリットの符号「３９ａ〜３９ｄ」は、幅方向に並ぶスリットの手前側から３９ａ，３９ｂ，３９ｃ，３９ｄの順に付している。
【００３９】
これに対し、載置スタンド４０は、図２（ａ）、図５（ａ）（ｂ）等に示すように、携帯品が載置される載置本体部４１と、排除部３９に対応した係合部４５を有する取付枠部４３とを備え、何れも合成樹脂材料から形成されている。取付枠部４３は、全体として浅底な矩形箱型容器状をなす。係合部４５は、その取付枠部４３に対して、或いは当該枠部４３若しくは当該スタンド４０を補強する図２（ａ）の補強リブ４３Ｒに対して、上方に突起して複数設けられた係合片、つまり係合片群４５からなる。載置スタンド４０は、当該係合片群４５を排除部３９のスリット３９ａ〜３９ｄに係合させることで計数通路部２９に取付けられる。
【００４０】
詳細には、係合片群４５は、図２（ａ）で左側の４つの係合片群Ａ４５ａ〜Ａ４５ｄと、左右方向中央の一対の係合片群Ｂ４５ａ，Ｂ４５ｄと、右側の４つの係合片群Ｃ４５ａ〜Ｃ４５ｄとを含む。
【００４１】
係合片群Ａ４５ａ〜Ａ４５ｄは、何れも左側のスリット３９ａ〜３９ｄの左端部に係合する。このうち、比較的突出長が大きく設定された幅方向両端の係合片Ａ４５ａ，Ａ４５ｄは、夫々の上端に左方へ向けて突出する係合爪４６，４６を有してスリット３９ａ，３９ｄ上縁に嵌り込み、幅方向中央の係合片Ａ４５ｂ，Ａ４５ｃは、スリット３９ｂ，３９ｃに挿通されるようにして係合する（図５（ａ）〜（ｃ）参照）。
【００４２】
係合片群Ｂ４５ａ，Ｂ４５ｄは、夫々の上端に左方へ向けて突出する係合爪４６，４６を有し、中央のスリット３９ａ，３９ｄの左端部上縁に嵌り込む。
係合片群Ｃ４５ａ〜Ｃ４５ｄは、何れも中央のスリット３９ａ〜３９ｄの右端部に係合する。このうち、幅方向両端の係合片Ｃ４５ａ，Ｃ４５ｄは、夫々の上端に右方へ向けて突出する係合爪４６，４６を有してスリット３９ａ，３９ｄ上縁に嵌り込み、幅方向中央の係合片群Ｃ４５ｂ，Ｃ４５ｃは、夫々スリット３９ｂ，３９ｃに挿通されるようにして係合する。尚、係合片群４５のうち、係合片Ａ４５ａ，Ａ４５ｄは、他の係合片に比して突起長を大きく表しているが（図２（ａ）参照）、係合片群４５の何れの突起長も、計数通路部２９における玉の通過を妨げない大きさに設定している。尚、係合片群４５は、個々のスリット３９ａ〜３９ｄの深さやスリット構造等に応じて突起長や係合位置を変更しうることは勿論である。
【００４３】
ここで、図６は、図５（ｃ）のＡ−Ａ線に沿う断面図であり、係合片Ｂ４５ｄの係合爪４６及び係合片Ｃ４５ｄの係合爪４６が、中央のスリット３９ｄの左端部上縁及び右端部上縁に夫々係合した状態を拡大して表している。同図からも明らかなように、係合片Ｂ４５ｄ，Ｃ４５ｄはその可撓性により、係合爪４６，４６が一旦スリット３９ｄに嵌り込むと、夫々の嵌合を外す方向（夫々内側に撓む方向であって係合爪４６の突出方向とは逆の方向）へ外力を加えない限り、載置スタンド４０が外れない嵌め殺し構造としている。
【００４４】
即ち、図２（ａ）に示すように載置スタンド４０が計数通路部２９に対して取付けられる場合に、係合片群Ａ４５ａ〜Ｃ４５ｄが計数通路部２９の底面側２９ａからスリット３９ａ〜３９ｄへ係合するように差し込まれて、各係合爪４６がその可撓性によりスリット３９ａ〜３９ｄに嵌り込む（図２（ｂ）、図６参照）。これにより、載置スタンド４０を、計数通路部２９に対して確実且つ簡単に取付固定することができ、その取付枠部４３は、計数通路部２９の下側に収まるようにして配置される。
【００４５】
尚、計数通路部２９の底面２９ａにおいて、図５（ｃ）のようにスリット３９ａ〜３９ｄが存し、図６のように係合爪４６が突出していても、玉の通過の妨げとならない。即ち、計数通路部２９を２列で通る玉のうち、一方の列の玉は、当該玉の最下端の接地点がスリット３９ａとスリット３９ｂとの間に位置し、他方の列の玉は、当該玉の最下端の接地点がスリット３９ｃとスリット３９ｄとの間に位置する。それ故、スリット３９ａ〜３９ｄは、計数通路部２９を通る２列の玉が当該スリット３９ａ〜３９ｄに落ち込まず且つ係合爪４６と接触しない前記幅方向のピッチで形成されていると言える。
【００４６】
一方、計数通路部２９は、その上面２９ｅと側壁２９ｂ〜２９ｄとの嵌合部分も外部に露出しない構成を採ることで、当該上面側から器具や指等を挿入して複数のスリット３９ａ〜３９ｄに係合した複数の係合片群Ａ４５ａ〜Ｃ４５ｄの少なくとも全てを取外せない程度に封鎖されている。また、計数通路部２９において、載置スタンド４０の取付部分や上面２９ｅの嵌合部分に接着剤等を用いていないことから、それらの部材４０，２９ｅの取外しは一応可能であるものの、それらの取外しは、上記したロック解除により本体ユニット２０から計数ユニット２１を取外してからしか行うことができない。つまり、載置スタンド４０を取外すには、従業員の携帯する鍵が必要であり、その取外しを困難なものとしている。
【００４７】
また、図５（ｂ）に示すように載置スタンド４０における係合部４５を有する側には、取付枠部４３の底面４３ａに位置させて載置排除部４８を設けている。載置排除部４８は、補強リブ４３Ｒ等との関係上、図５（ｃ）のスリット３９ａ〜３９ｄと数や寸法が異なるが、排除部３９と同様、異物を排出させるために複数設けられた細長なスリットで構成されている。このため、遊技者が誤って液体やゴミ等の異物を計数受部２８に落としたとしても、その異物を計数通路部２９のスリット３９ａ〜３９ｄや載置排除部４８のスリットを通して、外部（下方）に排出する構造としている（図６参照）。
【００４８】
そして、図２（ａ）に示すように、載置スタンド４０における載置本体部４１は、取付枠部４３の底面４３ａ側から前方へ張出すように延設された載置面５０と、その載置面５０周縁部に立設された立壁５１とを有し、全体として横長なトレイ状をなす。
【００４９】
載置面５０は、横向きにしたタバコＴ（図３の２点鎖線の箱参照）や、縦向きにしたスマートフォン等の携帯端末Ｋを載置可能な大きさの水平面であって、計数通路部２９の前壁２９ｂや計数受部２８の左壁２８ｄに合わせた寸法形状とされている。立壁５１は、載置面５０の周りに所定の高さで形成されるのであるが、そのうち背面立壁５１ａは、取付枠部４３と同じ高さ寸法に設定され、正面立壁５１ｂは、例えば図２（ｂ）の２点鎖線で示すように縦向きに載置した携帯端末Ｋ等が倒れないように掛止すべく、上方へ延出した形状とされている。
【００５０】
載置本体部４１には、正面立壁５１ｂにおける左右方向の中間部を切り欠くと共に当該中間部に対応する載置面５０の前縁部の一部を切り欠くようにして凹部５２が設けられている。凹部５２は、ＵＳＢポート３０に接続されたケーブル３１用のものであり、その携帯端末Ｋのケーブル３１を凹部５２に通した状態でも、当該携帯端末Ｋを載置スタンド４０に載置し易いものとしている。それ故、遊技中に、図２（ｂ）のように携帯端末Ｋを載置スタンド４０に載置し、凹部５２に通したケーブル３１を介して、携帯端末Ｋの充電や遊技装置２との通信処理（例えば遊技情報の転送等）の利用が可能である。
【００５１】
上記した載置スタンド４０を計数ユニット２１に取付け可能な構成としたのは、載置スタンド４０が取付けられる箇所は、遊技場によっては回収可能な灰皿を置いたり、遊技島に設けられる所謂吸殻自動回収装置の吸い殻入れ（図示略）が設けられたりするカウンタ板８上の箇所に対応しているからである。つまり、このような箇所に載置スタンド４０があると、灰皿の回収や吸い殻入れに吸い殻等を入れ難くなるため、本実施形態の遊技装置２は、各遊技場において吸殻自動回収装置等の導入状況に応じて、載置スタンド４０が邪魔になる場合には載置スタンド４０を取付けず、邪魔にならない場合には載置スタンド４０を取付けるといった選択の自由度を与える載置スタンド４０の取付構造を採用している。
【００５２】
以上のように、遊技装置２において表示部２２，２４や操作部２５等の各機構２２〜２７が設けられる本体ユニット２０ではなく、遊技機１の下部受皿１４から排出される獲得玉を受けるための計数ユニット２１に載置スタンド４０を設けたことにより、本体ユニット２０の各機構２２〜２７のスペースを確保したまま携帯品を載置するスタンド４０を提供可能となる。また、計数ユニット２１の計数受部２８は遊技機１の前面、即ち遊技者の前面に設けられることから、本体ユニット２０に載置スタンド４０を設ける場合と比較して、遊技者の目に付き易く、盗難や置き忘れの虞を軽減でき、遊技機１に載置スタンド４０を設ける場合と比較して遊技機１を入替えても継続して使用可能であることからコスト的なメリットも見込める。
【００５３】
上記したように、計数通路部２９の周辺には灰皿等を載置する遊技場もあるため、そのような遊技場で載置スタンド４０を設けると灰皿等を載置するスペースがなくなり不便になる虞があるが、計数通路部２９は載置スタンド４０の有無に関わらず玉を通過可能、即ち、載置スタンド４０を後付可能としていることから、上記した載置スタンド４０を設けるか否かの選択肢を遊技場に与えることが可能となり、遊技場のニーズに応じた汎用性の高い遊技装置２を提供できる。また、計数受部２８ではなく計数受部２８よりもスペースを取難い計数通路部２９の周辺に載置スタンド４０を取付けることで、遊技機１前方のスペースを有効利用できる。
【００５４】
計数通路部２９には載置スタンド４０の有無に関わらず排除部３９が必要であり、その排除部３９を利用して載置スタンド４０を取付けることから、計数通路部２９側の構成を変更する必要性を低減できる、また、排除部３９が底面２９ａにあることで載置スタンド４０の取付箇所たる取付枠部４３側が目立つ虞も軽減できる。
【００５５】
載置スタンド４０にも排除部４８を設けることにより、載置スタンド４０を取付けたことで計数通路部２９から排除された異物が載置スタンド４０側に滞ってしまう虞を軽減できる。
【００５６】
計数通路部２９の排除部３９に載置スタンド４０の係合部４５が係合する箇所を複数設けることで取外しが困難になると共に、計数通路部２９の底面２９ａ側から係合部４５を係合させて取付けるため、その係合に係る底面２９ａ側からの取外しが困難になると共に計数通路部２９の上面２９ｅも封鎖されることから、更に取外しが困難になるので、載置スタンド４０を悪意のある遊技者等に持ちさられる虞を軽減できる。
【００５７】
本体ユニット２０に、携帯端末Ｋ用のケーブル接続部としてのＵＳＢポート３０を設け、載置スタンド４０にケーブル３１用の凹部５２を設けたことにより、本体ユニット２０にケーブル３１を介して接続した携帯端末Ｋの利用（通信や充電）が可能になると共に、携帯端末Ｋによっては載置スタンド４０に立てて載置した場合でも、載置の安定性をある程度確保でき、載置した携帯端末Ｋの画面の操作や閲覧が困難になる虞を軽減できる。尚、図示は省略するが、凹部５２に代えて、載置スタンド４０における立壁５１及び／又は載置面５０の一部部分が開口するように切り欠いた窓部を設けるようにしてもよい。この窓部でも、ケーブル３１を通して携帯端末Ｋを利用できる等、凹部５２と同様の効果を奏する。
【００５８】
（その他の実施形態）
第２実施形態について図７を参照して説明する。尚、上記第１実施形態と実質的に同一の構成部位には同一の符号を付す等して説明を省略し、相違点について説明する。
【００５９】
本第２実施形態の計数受部２８´は、その底面２８ａにおける左右方向中央に位置して、下側から係合部４５に係合する被係合部を備える。具体的には、図示は省略するが、被係合部は、底面２８ａ裏側において係合片群４５と対応するように上方へ窪むと共に係合爪４６が嵌合するように形成された凹み群で構成されている。この場合の凹み群は、係合片群４５と同数且つ同ピッチの係合部とすることは勿論、排除部３９のスリット３９ａ〜３９ｄと同様のスリット形状に形成することができる。それ故、計数受部２８´の底面２８ａの被係合部は、排除部３９のスリット３９ａ〜３９ｄと同様、取付枠部４３を下側から合わせるようにして係合片群４５と係合する。これにより、上記した載置スタンド４０の取付けが可能であり、又、本第２実施形態の載置スタンド４０´の取付けも可能である。
【００６０】
図７（ａ）に示すように、載置スタンド４０´は、載置本体部４１と係合部４５の取付枠部４３とが上下に段違いで繋がる構成にある点で、載置スタンド４０と異なる。即ち、載置スタンド４０´の載置本体部４１は、取付枠部４３に対し上方にずらして繋がっており、相対的に上側に位置する。それ故、図７（ａ）の斜視図では、取付枠部４３の大部分が手前の載置本体部４１に隠れる位置関係となっている。従って、載置スタンド４０´は、計数受部２８´の底面２８ａの被係合部に係合片群４５を係合させた取付状態で、載置本体部４１が計数受部２８´の前壁２８ｂ前側に位置し、且つ前壁２８ｂ下端と載置面５０が揃うようになっている（図７（ｂ））。尚、載置スタンド４０´に限らず、第１実施形態の載置スタンド４０を計数受部２８´に取付けた場合でも、その取付枠部４３が、計数受部２８´とカウンタ板８との間の吸盤３７の介在による所定の隙間に収まることは言うまでもない。
【００６１】
本発明は、上記実施形態に限定されることなく、次のように変形又は拡張したり、例示した構成の一部を変更し、或いは変形例を含む例示した構成をどのように組合わせてもよいし、適宜構成を除外してもよい。
【００６２】
載置スタンド４０，４０´は、計数受部２８´又は計数通路部２９に対して取付（後付）可能としたが、計数受部２８又は計数通路部２９と一体成形した一体成型品としてもよい。
【００６３】
図示は省略するが、計数受部２８の上下方向の高さ寸法を利用して、計数受部２８にポケット状の載置スタンドを設け、そのポケット内に携帯品を挿入して載置する構成としてもよい。
【００６４】
携帯品は携帯端末ＫやタバコＴの他、財布や鍵等、どのような携帯品でもよく、載置スタンドは、その携帯品に合わせて、上記したポケット状の他、種々の形態に変更しうる。
ケーブル用の凹部５２や窓部を説明したが、その載置スタンド４０，４０´における凹部５２や窓部の形成位置を他の位置に変更してもよい。また、必ずしも凹部５２や窓部を設ける必要はない。
【００６５】
計数手段としての計数部を本体ユニット２０側に設けることを例示したが、計数ユニット２１側に設けてもよい。
貸出処理は遊技機１から、再プレイ処理は払出ノズル２６から玉を払出すことを例示したが、貸出処理と再プレイ処理の双方について、遊技機から玉を払出してもよいし、払出ノズル２６から払出してもよく、前者の場合、払出ノズル２６を設ける必要がなくなる。
【００６６】
載置スタンド４０，４０´に排除部４８を設けることを例示したが、異物の排除を諦めたり、載置スタンド４０，４０´と計数通路部２９との間隙から異物を排除することを想定したりすれば、必ずしも載置スタンド４０，４０´に排除部４８を設けなくともよい。
【００６７】
計数通路部２９の上面２９ｅを完全に封鎖する構成を示したが、係合する係合片Ａ４５ａ〜Ｃ４５ｄのいくつかを取外し可能な程度に封鎖してもよい。即ち「係合部の少なくとも全てを取り外せない程度に封鎖される」とは、指や器具等を挿入し、係合片Ａ４５ａ〜Ｃ４５ｄのいくつかを取外すことが可能であってもよいが、少なくとも全ての係合片Ａ４５ａ〜Ｃ４５ｄを取外す作業が不能となるように封鎖されることを示す。尚、係合部は、係合片Ａ４５ａ〜Ｃ４５ｄのような係合片群４５に限らず、係合爪４６を有する６つの係合片Ａ４５ａ，Ａ４５ｄ，Ｂ４５ａ，Ｂ４５ｄ，Ｃ４５ａ，Ｃ４５ｄだけで構成してもよいし、上記したスリット構造や被係合部の構造に応じて、係合片Ａ４５ａ〜Ｃ４５ｄの数を増減し或いはその係合片の数に応じて係合爪４６の有無を変更する等してもよい。
【００６８】
遊技に関する情報とは例えば計数玉数等を示すが、大当り数や図柄変動数、或いは残高等、遊技に関する情報であればどのような情報であってもよく、係る情報を液晶表示部２４等の遊技装置２の表示手段で表示することができる。
対象となる遊技機１は上記したパチンコ機を例示できるが、例示した以外のパチンコ機を対象としても勿論良い。
【符号の説明】
【００６９】
図面中、１は遊技機、２は遊技装置、２０は本体ユニット、２１は計数ユニット、２２，２４，３０ａは表示部（表示手段）、２５は払出釦（操作手段）、２７はカード挿入口（記録媒体発行手段）、２８は計数受部、２９は計数通路部、３０はＵＳＢポート（接続部）、３１はケーブル、４０，４０´は載置スタンド（載置部）、３９は排除部、４５は係合部、４８は載置排除部、５２は凹部、Ｋは携帯端末である。
【図１】
2018082977.tif 000003
【図２】
2018082977.tif 000004
【図３】
2018082977.tif 000005
【図４】
2018082977.tif 000006
【図５】
2018082977.tif 000007
【図６】
2018082977.tif 000008
【図７】
2018082977.tif 000009